(57)【要約】【課題】ドライブの出発前（例えば、出発日の前夜など）にパーソナルコンピュータを利用してゆっくり時間をかけて目的地の入力やルート選択を行うことを可能にするシステム等を提供する。【解決手段】運転手に対して道案内を行う案内装置（ナビゲーション装置３）と家庭用又は業務用として使用されるコンピュータ（ＰＣ２）とからなるカーナビゲーションシステムである。前記コンピュータは、出発地から目的地までのルート検索をする経路特定手段と、検索したルートをＰＣ２に転送する転送手段を備える。前記案内装置は、前記転送手段から転送されたルートを読取る読取手段と、そのルートに従って運転手に道案内を行う手段とを備える。【選択図】図１ 
2005337727.tif 000002
【特許請求の範囲】
【請求項１】
情報を読取る読取手段と情報の処理を行う第１処理手段を備える案内装置と、情報を前記案内装置に転送する転送手段と情報の処理を行う第２処理手段を備えるコンピュータとからなるナビゲーションシステムであって、
前記第２処理手段は、出発地から目的地までの経路を検索又は取得するための処理を行う経路特定手段、検索した経路を前記転送手段から前記案内装置に転送するための処理を行う手段を備え、
前記第１処理手段は、転送された経路を前記読取手段から読取るための処理を行う手段、その経路に従って運転手に道案内を行うための処理を行う手段とを備えることを特徴とするナビゲーションシステム。
【請求項２】
前記案内装置は情報を表示するための第１表示手段を備え、
前記第２処理手段は、店舗又は施設で利用できる電子クーポン又は電子チケットを検索又は取得するための処理を行う手段、前記電子クーポン又は前記電子チケットを前記転送手段から前記案内装置に転送するための処理を行う手段を備え、
前記第１処理手段は、転送された前記電子クーポン又は前記電子チケットを前記読取手段から読取るための処理を行う手段、その電子クーポン又は電子チケットを前記第１表示手段に表示するための処理を行う手段とを備えることを特徴とする請求項１記載のナビゲーションシステム。
【請求項３】
前記案内装置は情報を携帯するための携帯手段に対し情報を出力する出力手段を備え、
前記第１処理手段は、前記出力手段から前記電子クーポン又は前記電子チケットを前記携帯手段に対して出力するための処理を行う手段を備えることを特徴とする請求項２記載のナビゲーションシステム。
【請求項４】
前記第１処理手段には経路又はそれに付随する付随情報を認識するための処理を行う経路認識手段が備えられ、前記第２処理手段にも前記経路認識手段と同一の手段が備えられていることを特徴とする請求項１乃至３記載のナビゲーションシステム。
【請求項５】
前記コンピュータには情報を記憶するための記憶手段と情報を表示する第２表示手段と情報を入力するための入力手段が備えられ、
前記記憶手段は複数の待合せ場所を記憶する手段を備え、
前記第２処理手段は、前記入力手段から複数の出発地を入力するための処理を行う手段、複数の前記待合せ場所の中から複数の前記出発地から出発した際に待合せ場所として適している待合せ場所の候補地を検索して前記第２表示手段に表示するための処理を行う手段、前記入力手段から入力される候補地決定情報に従って待合せ場所を特定するための処理を行う手段、特定された待合せ場所を前記案内装置に前記転送手段から転送するための処理を行う手段を備え、
前記第１処理手段は、転送された待ち合わせ場所を前記読取手段から読取るための処理を行う手段、その待ち合わせ場所を前記第１表示手段に表示するための処理を行う手段を備えることを特徴とする請求項１乃至４記載のナビゲーションシステム。
【請求項６】
前記記憶手段には複数の待合せ場所を記憶する手段が備えられ、
前記第２処理手段は、前記入力手段から複数の出発地を入力するための処理を行う手段、複数の前記待合せ場所の中から複数の前記出発地から出発した際に待合せ場所として適している場所を特定するための処理を行う手段、特定された待合せ場所を前記案内装置に前記転送手段から転送するための処理を行う手段を備え、
前記第１処理手段は、転送された待ち合わせ場所を前記読取手段から読取る手段、その待ち合わせ場所を前記第１表示手段に表示するための処理を行う手段を備えることを特徴とする請求項１乃至４記載のナビゲーションシステム。
【請求項７】
情報を読取る読取手段と情報の処理を行う第１処理手段を備える案内装置と、情報を前記案内装置に転送する転送手段と情報の処理を行う第２処理手段を備えるコンピュータに関する処理を命令するものであって、
前記第２処理手段を、出発地から目的地までの経路を検索又は取得するための処理を行う経路特定手段、検索した経路を前記転送手段から前記案内装置に転送するための処理を行う手段として機能させ、
前記第１処理手段を、転送された経路を前記読取手段から読取るための処理を行う手段、その経路に従って運転手に道案内を行うための処理を行う手段として機能させることを特徴とするナビゲーションのためのコンピュータプログラム。
【請求項８】
前記案内装置は情報を表示するための第１表示手段を備え、
前記第２処理手段を、店舗又は施設で利用できる電子クーポン又は電子チケットを検索又は取得するための処理を行う手段、前記電子クーポン又は前記電子チケットを前記転送手段から前記案内装置に転送するための処理を行う手段として機能させ、
前記第１処理手段は、転送された前記電子クーポン又は前記電子チケットを前記読取手段から読取るための処理を行う手段、その電子クーポン又は電子チケットを前記第１表示手段に表示するための処理を行う手段として機能させることを特徴とする請求項７記載のナビゲーションのためのコンピュータプログラム。
【請求項９】
前記案内装置は情報を携帯するための携帯手段に対し情報を出力する出力手段を備え、
前記第１処理手段を、前記出力手段から前記電子クーポン又は前記電子チケットを前記携帯手段に対して出力するための処理を行う手段として機能させることを特徴とする請求項８記載のナビゲーションのためのコンピュータプログラム。
【請求項１０】
前記第１処理手段を経路又はそれに付随する付随情報を認識するための処理を行う経路認識手段として機能させ、前記第２処理手段も前記経路認識手段と同一の手段として機能させることを特徴とする請求項７乃至９記載のナビゲーションのためのコンピュータプログラム。
【請求項１１】
前記コンピュータには情報を記憶するための記憶手段と情報を表示する第２表示手段と情報を入力するための入力手段が備えられ、
前記記憶手段は複数の待合せ場所を記憶する手段を備え、
前記第２処理手段を、前記入力手段から複数の出発地を入力するための処理を行う手段、複数の前記待合せ場所の中から複数の前記出発地から出発した際に待合せ場所として適している待合せ場所の候補地を検索して前記第２表示手段に表示するための処理を行う手段、前記入力手段から入力される候補地決定情報に従って待合せ場所を特定するための処理を行う手段、特定された待合せ場所を前記案内装置に前記転送手段から転送するための処理を行う手段として機能させ、
前記第１処理手段を、転送された待ち合わせ場所を前記読取手段から読取るための処理を行う手段、その待ち合わせ場所を前記第１表示手段に表示するための処理を行う手段として機能させることを特徴とする請求項７乃至１０記載のナビゲーションのためのコンピュータプログラム。
【請求項１２】
前記記憶手段は複数の待合せ場所を記憶する手段を備え、
前記第２処理手段を、前記入力手段から複数の出発地を入力するための処理を行う手段、複数の前記待合せ場所の中から複数の前記出発地から出発した際に待合せ場所として適している場所を特定するための処理を行う手段、特定された待合せ場所を前記案内装置に前記転送手段から転送するための処理を行う手段として機能させ、
前記第１処理手段を、転送された待ち合わせ場所を前記読取手段から読取る手段、その待ち合わせ場所を前記第１表示手段に表示するための処理を行う手段として機能させることを特徴とする請求項８乃至１０記載のナビゲーションのためのコンピュータプログラム。
【請求項１３】
情報を読取る読取手段と情報の処理を行う第１処理手段を備える案内装置と、情報を前記案内装置に転送する転送手段と情報の処理を行う第２処理手段を備えるコンピュータとからなり、
前記第２処理手段は、出発地から目的地までの経路を検索又は取得するための処理を行い、検索した経路を前記転送手段から前記案内装置に転送するための処理を行い、
前記第１処理手段は、転送された経路を前記読取手段から読取るための処理を行い、その経路に従って運転手に道案内を行うための処理を行うことを特徴とするナビゲーション方法。
【請求項１４】
前記案内装置は情報を表示するための第１表示手段を備え、
前記第２処理手段は、店舗又は施設で利用できる電子クーポン又は電子チケットを検索又は取得するための処理を行い、前記電子クーポン又は前記電子チケットを前記転送手段から前記案内装置に転送するための処理を行い、
前記第１処理手段は、転送された前記電子クーポン又は前記電子チケットを前記読取手段から読取るための処理を行い、その電子クーポン又は電子チケットを前記第１表示手段に表示するための処理を行うことを特徴とする請求項１３記載のナビゲーション方法。
【請求項１５】
前記案内装置は情報を携帯するための携帯手段に対し情報を出力する出力手段を備え、
前記第１処理手段は、前記出力手段から前記電子クーポン又は前記電子チケットを前記携帯手段に対して出力するための処理を行うことを特徴とする請求項１４記載のナビゲーション方法。
【請求項１６】
前記第１処理手段は経路又はそれに付随する付随情報を認識するための経路認識処理を行い、前記第２処理手段も前記経路認識処理と同一の処理を行うことを特徴とする請求項１３乃至１５記載のナビゲーション方法。
【請求項１７】
前記コンピュータには情報を記憶するための記憶手段と情報を表示する第２表示手段と情報を入力するための入力手段が備えられ、
前記記憶手段は複数の待合せ場所を記憶する手段を備え、
前記第２処理手段は、前記入力手段から複数の出発地を入力するための処理を行い、複数の前記待合せ場所の中から複数の前記出発地から出発した際に待合せ場所として適している待合せ場所の候補地を検索して前記第２表示手段に表示するための処理を行い、前記入力手段から入力される候補地決定情報に従って待合せ場所を特定するための処理を行い、特定された待合せ場所を前記案内装置に前記転送手段から転送するための処理を行い、
前記第１処理手段は、転送された待ち合わせ場所を前記読取手段から読取るための処理を行い、その待ち合わせ場所を前記第１表示手段に表示するための処理を行うことを特徴とする請求項１３乃至１６記載のナビゲーション方法。
【請求項１８】
前記記憶手段には複数の待合せ場所を記憶する手段が備えられ、
前記第２処理手段は、前記入力手段から複数の出発地を入力するための処理を行い、複数の前記待合せ場所の中から複数の前記出発地から出発した際に待合せ場所として適している場所を特定するための処理を行い、特定された待合せ場所を前記案内装置に前記転送手段から転送するための処理を行い、
前記第１処理手段は、転送された待ち合わせ場所を前記読取手段から読取り、その待ち合わせ場所を前記第１表示手段に表示するための処理を行うことを特徴とする請求項１３乃至１６記載のナビゲーション方法。
【発明の詳細な説明】
【技術分野】
【０００１】
本発明は、自動車の運転手に道案内をするカーナビゲーションシステム等に関するものである。
【背景技術】
【０００２】
近年、カーナビゲーション装置を搭載した乗用車が急増している。カーナビゲーション装置を利用するにはまず、ドライバーが車に乗り込み、カーナビゲーション装置の電源を入れ、それから目的地を入力し、ルート検索やルート選択を行い、そのルートに沿って運転をするのである。このようにすれば、カーナビゲーション装置が目的地までの道案内をしてくれるので不慣れな道を運転する際には大変便利である。
【０００３】
【特許文献１】特願平１１−３１０７２２
【発明の開示】
【発明が解決しようとする課題】
【０００４】
しかし、現在のカーナビゲーション装置では目的地の入力やルート選択などの作業は、ドライバーが乗用車に乗込んでから出発するまでの短時間のうちに行わなければならず、これら作業をゆっくり時間をかけて行うことができないという問題がある。また、カーナビゲーション装置は年々高性能になってきているが、家庭用のパーソナルコンピュータ等に比べればまだまだ性能的に劣っており、パーソナルコンピュータなら実現できる機能であっても、カーナビゲーション装置では実現できない機能が多数存在する。
そこで、出発前（例えば、出発日の前夜など）にパーソナルコンピュータを利用してゆっくり時間をかけて目的地の入力やルート選択を行うことを可能にするシステム等が求められるところである。
【課題を解決するための手段】
【０００５】
本発明は、例えば、次のような手段を備えるシステム、次のような処理を行う方法、各種装置（コンピュータ等）を次のように機能させるコンピュータプログラムである。
（１）  情報を読取る読取手段と情報の処理を行う第１処理手段を備える案内装置と、情報を前記案内装置に転送する転送手段と情報の処理を行う第２処理手段を備えるコンピュータとからなるナビゲーションシステムであって、
前記第２処理手段は、出発地から目的地までの経路を検索又は取得するための処理を行う経路特定手段、検索した経路を前記転送手段から前記案内装置に転送するための処理を行う手段を備え、
前記第１処理手段は、転送された経路を前記読取手段から読取るための処理を行う手段、その経路に従って運転手に道案内を行うための処理を行う手段とを備える。
（２）  前記案内装置は情報を表示するための第１表示手段を備え、
前記第２処理手段は、店舗又は施設で利用できる電子クーポン又は電子チケットを検索又は取得するための処理を行う手段、前記電子クーポン又は前記電子チケットを前記転送手段から前記案内装置に転送するための処理を行う手段を備え、
前記第１処理手段は、転送された前記電子クーポン又は前記電子チケットを前記読取手段から読取るための処理を行う手段、その電子クーポン又は電子チケットを前記第１表示手段に表示するための処理を行う手段とを備える。
（３）  前記案内装置は情報を携帯するための携帯手段に対し情報を出力する出力手段を備え、
前記第１処理手段は、前記出力手段から前記電子クーポン又は前記電子チケットを前記携帯手段に対して出力するための処理を行う手段を備える。
（４）  前記第１処理手段には経路又はそれに付随する付随情報を認識するための処理を行う経路認識手段が備えられ、前記第２処理手段にも前記経路認識手段と同一の手段が備えられている。
（５）  前記コンピュータには情報を記憶するための記憶手段と情報を表示する第２表示手段と情報を入力するための入力手段が備えられ、
前記記憶手段は複数の待合せ場所を記憶する手段を備え、
前記第２処理手段は、前記入力手段から複数の出発地を入力するための処理を行う手段、複数の前記待合せ場所の中から複数の前記出発地から出発した際に待合せ場所として適している待合せ場所の候補地を検索して前記第２表示手段に表示するための処理を行う手段、前記入力手段から入力される候補地決定情報に従って待合せ場所を特定するための処理を行う手段、特定された待合せ場所を前記案内装置に前記転送手段から転送するための処理を行う手段を備え、
前記第１処理手段は、転送された待ち合わせ場所を前記読取手段から読取るための処理を行う手段、その待ち合わせ場所を前記第１表示手段に表示するための処理を行う手段を備える。
（６）  前記記憶手段には複数の待合せ場所を記憶する手段が備えられ、
前記第２処理手段は、前記入力手段から複数の出発地を入力するための処理を行う手段、複数の前記待合せ場所の中から複数の前記出発地から出発した際に待合せ場所として適している場所を特定するための処理を行う手段、特定された待合せ場所を前記案内装置に前記転送手段から転送するための処理を行う手段を備え、
前記第１処理手段は、転送された待ち合わせ場所を前記読取手段から読取る手段、その待ち合わせ場所を前記第１表示手段に表示するための処理を行う手段を備える。
【発明の効果】
【０００６】
本発明には次のような効果がある。
（１）本発明はコンピュータを利用してルート検索を行うので、時間をかけてゆっくりルート選択を行うことができる。また、ナビゲーション装置に比べコンピュータは多機能で処理能力も優れ、より多くの情報を扱うことができるので、より良いルート選択が行えるのである。また、本発明はコンピュータを利用して電子チケットや電子クーポンを取得するので、より多くの電子チケットや電子クーポンを取得することができる。また、時間をかけてゆっくりと取得すべき電子チケットや電子クーポンを選択することができる。
（２）本発明は、ナビゲーション装置から携帯電話等に電子チケットや電子クーポンを送信するので、利用者は電子チケット等を携帯することができる。
（３）本発明は、コンピュータとナビゲーション装置に同種類のコンピュータプログラムがインストールされているので、互換性に優れ、本発明を実施するためのコストを安くすることができる。即ち、双方のコンピュータプログラムが相違すると、双方に互換性をもたせるための新たなコンピュータプログラムが必要となり、コスト高になってしまうが、本発明ではその必要がないので、コストを安くすることができるのである。
（４）本発明は、待ち合わせ場所の候補を表示したり、最適な待ち合わせ場所を自動的に特定するので、待ち合わせを決める手間が大幅に削減できる。
【発明を実施するための最良の形態】
【０００７】
本発明は、自動車の運転手に道案内をするカーナビゲーションシステム等に関するものである。以下、図面に基づいて説明する。
【実施例１】
【０００８】
本発明の第一実施例を図に基づいて説明する。図１は本発明の実施に必要なハードウェアとそのハードウェアの結びつきを表した概略図である。
これらハードウェアは、サーバー１とパーソナルコンピュータ２（ＰＣ２：ＰＣ２ａ、ＰＣ２ｂ、ＰＣ２ｃ）、自動車に搭載されているナビゲーション装置３（３ａ、３ｂ、３ｃ）とからなる。
サーバー１とＰＣ２とはインターネット４（或は、その他の通信手段）によりデータの送受信が可能なものとなっている。ナビゲーション装置３は、既知の手段により運転手にルート案内をしたり、様々な情報をナビゲーション装置３に備えられている表示モニタ１５に表示するものである。
サーバー１、ＰＣ２、ナビゲーション装置３には情報を処理・演算し、各装置の制御等を行う処理装置が各々備えられている。また、サーバー１、ＰＣ２、ナビゲーション装置３はデータを記憶するための記憶装置とデータを送受信するためのデータ送信部並びにデータ受信部とを各々内蔵し、それらを用いてデータの送受信を行う。
【０００９】
各々の記憶装置には本発明を実現するためのコンピュータプログラムや所定のデータが記憶されており、サーバー１、ＰＣ２、ナビゲーション装置３に備えられている処理装置はこのコンピュータプログラムの処理命令に従って所定の処理を行う。ＰＣ２には、データを表示するための表示モニタ１４とデータを入力するためのキーボードやマウス（入力装置１６：マウスについては図示せず）が備えられている。また、ＰＣ２にはデータを記憶するメモリーカード１２に対し情報の読み書きを行うリーダライタ１１も備えられている。更に、ナビゲーション装置３にも情報を表示する表示モニタ１５及びリーダライタ１３が内蔵されており、ＰＣ２とナビゲーション装置３との間ではメモリーカード１２を介して情報の受渡ができるものである。更に、ナビゲーション装置３には携帯電話１８に情報を出力する出力装置１７が内蔵されており、無線等の通信によりデータを出力することが可能である。なお、ＰＣ２とナビゲーション装置３とはインターネットなどの通信手段を介してデータの受け渡しができるようにしてもよい。
また、本実施例においてナビゲーション装置３が案内装置としての役割を果し、ＰＣ２に備えられている処理装置が第２処理手段としての役割を果し、ナビゲーション装置３に備えられている処理装置が第１処理手段としての役割を果し、ナビゲーション装置３に備えられているリーダライタ１３が読取手段としての役割を果し、ＰＣ２に備えられているリーダライタ１１が転送手段としての役割を果し、ナビゲーション装置３に備えられている出力装置１７が出力手段としての役割を果し、携帯電話１８が携帯手段としての役割を果し、ナビゲーション装置３に備えられている表示モニタ１５が第１表示手段としての役割を果し、ＰＣ２に備えられている表示モニタ１４が第２表示手段としての役割を果し、ＰＣ２に備えられている記憶装置が記憶手段としての役割を果し、ＰＣ２に備えられている入力装置１６が入力手段としての役割を果す。
【００１０】
次に、本発明を実現するための処理手順について説明する。本発明の処理手順は図２の通りであり、＜出発地・目的地入力：ＳＴＥＰ１＞→＜待合せ地点確定：ＳＴＥＰ２＞→＜第１ルート検索：ＳＴＥＰ３＞→＜立寄場所確定：ＳＴＥＰ４＞→＜第２ルート検索：ＳＴＥＰ５＞→＜クーポンダウンロード：ＳＴＥＰ６＞→＜ルート送信：ＳＴＥＰ７＞→＜ルート転送：ＳＴＥＰ８＞の手順で行う。以下、これら処理について説明する。
【００１１】
＜出発地・目的地入力：ＳＴＥＰ１＞
東京都在住の山田太郎さんは明日友人達とドライブ旅行に行く予定である。そこで、山田さんは友人達との待ち合わせ場所や、ドライブルートを決めるために自宅のＰＣ２ａにインストールされているルート検索ソフト（コンピュータプログラム）を起動させた。これによりＰＣ２ａの表示モニタ１４には図３のような内容が表示される。山田さんは表示内容に従い、入力装置１６から自分の電話番号、同伴者１の電話番号及びメールアドレス、同伴者２の電話番号及びメールアドレス、目的地の電話番号を入力し、画面下の「決定」をクリックした。これにより、出発地・目的地データ「操作者（出発地Ａ）の電話番号：０３−３５８２−○○○○、同伴者１（出発地Ｂ）の電話番号：０３−３５７７−○○○○、同伴者１のメールアドレス：○○○＠×××．ｃｏｍ、同伴者２（出発地Ｃ）の電話番号：０３−３５１５−○○○○、同伴者２のメールアドレス：△△△＠×××．ｊｐ、目的地の電話番号：０５５１−３２−○○○○」がＰＣ２ａの記憶装置に記憶される。即ち、これにより複数の出発地等が入力されたことになる。
【００１２】
次に、ＰＣ２ａの第２処理装置は入力された電話番号に基づいて出発地や目的地の緯度・経度を特定する。具体的には以下のような処理を行う。
ＰＣ２ａの記憶装置には図４のような緯度経度ファイルが記憶されている。これは、複数の施設や店舗・個人宅等の電話番号とその位置（緯度・経度）とが対応づけて記憶されているものである。なお、本来、緯度と経度は「３６．２９１１，１３６．４９４７」などのように表すものであるが、ここでは便宜上「Ｘ１，Ｙ１」のように表すものとする。
ＰＣ２ａの第２処理装置は出発地・目的地データに含まれる出発地Ａ・出発地Ｂ・出発地Ｃ・目的地の電話番号を検索キーにこの緯度経度ファイルを検索し、各々の緯度・経度を特定する。
【００１３】
＜待合せ地点確定：ＳＴＥＰ２＞
次に、ＰＣ２ａの第２処理装置は特定された３地点（出発地Ａ・出発地Ｂ・出発地Ｃ）の緯度経度に基づいて待ち合わせ場所の候補を特定する。具体的には以下のような処理を行う。
ＰＣ２ａの記憶装置には図５のような待合せ地点ファイルが記憶されている。これは、公園やレストラン・公民館など待ち合わせに便利な地点（場所）に関する情報（地点名、特徴、適所度、緯度経度）が複数記憶されているものである。
ＰＣ２ａの第２処理装置は図６のように３地点の緯度経度から３地点の中心点（中間地点）を求め、中心点から半径５ｋｍ以内に位置する待合せ地点を待合せ地点ファイルから検索する。これにより、例えば、「○○公園」と「ドライブイン○○」とが検索されたものとする（複数の出発地点から出発した際に待ち合せ場所として適している候補地が検索される）。そして、ＰＣ２ａの第２処理装置は、検索された２つの待ち合わせ場所を図６のように表示モニタ１４に表示する。
図６のような内容をみた山田さんは「○○公園」で待ち合わせようと考え、画面上の「○○公園」をマウスによりクリックした。これによりＰＣ２ａには待ち合わせデータ「○○公園（候補地決定情報）」が入力され、ＰＣ２ａの第２処理装置は○○公園のデータを待合せデータとして記憶装置に記憶する（図７）。これにより待ち合わせ地点が特定される。
【００１４】
なお、上記例では２つの待ち合わせ候補地を表示して山田さんに選択させているが、ＰＣ２ａの第２処理装置が一方的に待ち合わせ地点を特定してもよい。例えば、図５の待合せ地点ファイルには「適所度」というデータ項目が含まれている。これは待ち合わせ場所として「最適」であるか、「適」であるかを区別するものである。即ち、駐車場が広い等の理由から待ち合わせ場所として最適である場合は「最適」、駐車場があまり広くはないが待ち合わせ場所として利用できる場合は「適」となっている。そして、ＰＣ２ａの第２処理装置が待ち合わせ候補地として「○○公園」と「ドライブイン○○」を検索した際、「○○公園」の適所度が「最適」であり、「ドライブイン○○」の適所度が「適」であった場合、ＰＣ２ａの第２処理装置はそのまま（山田さんに選択の余地を与えることなく）「最適」を選択し、○○公園を待合せデータとして特定し、記憶してもよい。このようにすれば自動的に待ち合わせ場所を特定でき、山田さんが待ち合わせ場所の選択をする手間を省くことができる。
【００１５】
＜第１ルート検索：ＳＴＥＰ３＞
次に、ＰＣ２ａの第２処理装置は３つのルート検索（「出発地Ａ→待合せ場所→目的地」のルート検索、「出発地Ｂ→待合せ場所→目的地」のルート検索、「出発地Ｃ→待合せ場所→目的地」のルート検索）を行い、図８のように３つの通過地点ファイルを作成する。例えば、「出発地Ａ→待合せ場所→目的地」の場合、出発地Ａから１ｋｍの地点は「緯度，経度：Ｘ４１，Ｙ４１」であり、出発地Ａから１０ｋｍの地点は「緯度，経度：Ｘ１１，Ｙ１１」である等、出発地Ａから１ｋｍ毎の緯度経度を通過地点ファイルに記憶してゆく（出発地Ｂ・出発地Ｃについても同様である）。なお、この処理が経路特定のための処理である。また、ルート検索（経路検索）の方法は既知の方法を用いるものとする。
【００１６】
＜立寄場所確定：ＳＴＥＰ４＞
次に、ＰＣ２ａの第２処理装置は作成された通過地点ファイルに基づいて立寄り場所の候補を特定する。具体的には以下のような処理を行う。
ＰＣ２ａの記憶装置には図９のような名所ファイルが記憶されている。これは、名所や観光施設などの観光地に関する情報（名前、緯度経度による位置）が複数記憶されているものである。
ＰＣ２ａの第２処理装置は通過地点ファイルに含まれる各通過点（緯度，経度）から半径１０ｋｍ以内に位置する観光地を名所ファイルから検索する。これにより、例えば、「○○の滝」と「○○ぶどう園」とが検索されたものとする。そして、ＰＣ２ａの第２処理装置は、検索された観光地及びルートを通過地点ファイルと名所ファイルに基づいて図１０のように表示モニタに表示する。
図１０のような内容をみた山田さんは「○○の滝」に立ち寄ろうと考え、画面上の「○○の滝」をクリックした。これによりＰＣ２ａには特定データ「○○の滝」が入力され、ＰＣ２ａの第２処理装置は「○○の滝」のデータを立寄り場所データとして記憶装置に記憶する（図１１）。
【００１７】
＜第２ルート検索：ＳＴＥＰ５＞
次に、ＰＣ２ａの第２処理装置は、立寄り場所データに基づいてリルート処理を行う。即ち、「出発地Ａ→待合せ場所→立寄り場所→目的地」についてのルート検索を行い、更に通過地点ファイル（図８）の更新を行う。なお、出発地Ｂ及び出発地Ｃについても同様の処理を行う。これによりドライブルートは○○の滝を通るルート（図１２）のようになり、通過地点ファイルも○○の滝を通過する内容（図１３）になる。
【００１８】
＜クーポンダウンロード：ＳＴＥＰ６＞
次に、ＰＣ２ａの第２処理装置は更新された通過地点ファイル（図１３）に基づいて利用するクーポンを特定する。具体的には以下のような処理を行う。
ＰＣ２ａの記憶装置には図１４のような店舗ファイルが記憶されている。これは、ハンバーガーショップやレストランなどの店舗で利用できるクーポンに関する情報（店舗ＩＤ、店舗名、提供クーポン、緯度経度による位置）が複数記憶されているものである。なお、このクーポンなどの情報はサーバー１から定期的に送信され、店舗ファイルの内容もこれに基づき更新されるものとする。
ＰＣ２ａの第２処理装置は通過地点ファイル（図１３）に含まれる各通過点（緯度，経度）から半径５００ｍ以内に位置する店舗（クーポンを提供している店舗）を店舗ファイルから検索する。これにより、例えば、「○○バーガー」と「○○レストラン」とが検索されたものとする。そして、ＰＣ２ａの第２処理装置は、検索された店舗名とクーポンを図１５のように表示モニタに表示する。
図１５のような内容をみた山田さんは「○○バーガー」で昼食をしたいと考え、画面上の「○○バーガー」をクリックした。これによりＰＣ２ａには特定データ「○○バーガー」が入力され、ＰＣ２ａの第２処理装置は「○○バーガー」のデータを取得クーポンとして記憶装置に記憶する（図１６）。なお、店舗ファイルにクーポンの利用方法（例えば、「このクーポンの利用方法は○○です」などの情報）を付加してもよい。また、ここでの処理が、電子クーポンや電子チケットを検索・取得するための処理である。
【００１９】
＜ルート送信：ＳＴＥＰ７＞
次に、ＰＣ２ａの第２処理装置は、同伴者１及び同伴者２に対し特定したルートや電子クーポン等を送信する処理を行う。具体的には以下の処理を行う。
ＰＣ２ａの第２処理装置は、待ち合わせデータ（図７）、立寄り場所データ（図１１）、取得クーポン（図１６）に基づいてルート関連データ（同伴者に送信するデータ）「待合せ場所：○○公園＝Ｘ１１，Ｙ１１、立寄り場所：○○の滝＝Ｘ２１，Ｙ２１、取得クーポン：○○バーガー  ポテト無料券＝Ｘ３１，Ｙ３１」を作成する。
そして、ルート関連データと通過地点ファイルＢ（図１３）とを同伴者１のメールアドレス宛（出発地・目的地データに含まれる同伴者１のメールアドレス宛）に送信する。また、ルート関連データと通過地点ファイルＣ（図１３）とを同伴者２のメールアドレス宛（出発地・目的地データに含まれる同伴者２のメールアドレス宛）に送信する。
【００２０】
次に、ＰＣ２ａの第２処理装置は、ルート関連データと通過地点ファイルＡ（図１３）をリーダライタ１１からメモリーカード１２ａに記憶する。また、同伴者１もＰＣ２ｂを使用して、山田さんから電子メールで送られてきたルート関連データと通過地点ファイルＢ（図１３）をメモリーカード１２ｂに記憶し、同伴者２もＰＣ２ｃを使用して、山田さんから電子メールで送られてきたルート関連データと通過地点ファイルＣ（図１３）をメモリーカード１２ｃに記憶する。そして、ナビゲーション装置３（３ａ、３ｂ、３ｃ）は各々メモリーカード１２（１２ａ、１２ｂ、１２ｃ）に記憶されているルート関連データと通過地点ファイルをリーダライタ１３から読み込み、道案内を行うと共にルート関連データを表示モニタ１５に表示する（例えば、同伴者１のナビゲーション装置３ｂであれば図１７のように表示する）。このようにすれば、ＰＣ２ａでゆっくり時間をかけてルート選択が行うことができ、そのルートに従ってドライブを楽しむことができる。なお、本実施例では、通過地点ファイルが経路としての役割を果す。また、道案内のための処理は既知の方法を用いるものとする。
【００２１】
なお、ナビゲーション装置３の出力装置１７から携帯電話１８に対し、取得した電子クーポンを送信し、これを受信した携帯電話が電子クーポンを記憶・表示するようにしてもよい。このようにすれば利用者は電子クーポンを携帯することができる。
また、上記実施例では、ＰＣ２ａの第２処理装置がルート検索をしていたが、既存のルート（通過地点ファイル）を何れかのＷＥＢサイトからをダウンロードしてもよい。例えば、その地域の道に詳しい人（タクシードライバーやその地域をドライブしたことがある経験者）がサーバー１にアップロードしたルートをダウンロードして取得してもよい。
なお、ＰＣ２とナビゲーション装置３にはルート検索・ルート認識等をするための、又はルートに付随する情報（電子クーポンや立寄り場所などに関する情報）を認識するための同一のコンピュータプログラム（経路認識手段）がインストールされているものとする。このように同一のコンピュータプログラムがインストールされていれば、互換性に優れ、コストを安くすることができる。
【００２２】
上記実施例おいては特定のケースについて説明したが、本発明はこれら特定のケースに限るものではない。例えば、次のようなケースであっても構わない。
（１）上記実施例では、特定のケースについて説明したが、本発明はこれに限るものではない。例えば、上記実施例では３台の車でドライブに行くケースについて説明したが、２台でも４台でも何台でも構わない。また、電子クーポンではなく電子チケットを取得するケースであってもよい。
（２）データの内容は実施例で説明したデータに限らない。即ち、同様の役割を果たすことができれば、他のどのようなデータであっても構わない。
（３）ハードウェアも実施例で説明したものに限らない。即ち、同様の役割を果たすことができれば、他のどのようなハードウェアであっても構わない。例えば、携帯手段として携帯電話ではなくＰＨＳや携帯型の小型コンピュータなどを利用してもよい。
（４）処理の内容や手順についても実施例で説明したものに限らない。即ち、同様の役割を果たすことができれば、他のどのような処理内容・処理手順であっても構わない。
（５）上記実施例に登場するデータ（データレコード、ファイル）のデータ（データ項目）は、原則として各々関連づけられて（対応づけられて）記憶装置に記憶されているものとする。図面に表されたものについても同様である。
【図面の簡単な説明】
【００２３】
【図１】本発明で利用するハードウェアの概略を示す図である。
【図２】処理フローを表した図である。
【図３】出発地・目的地入力画面を表した図である。
【図４】緯度経度ファイルを表した図である。
【図５】待合せ地点ファイルを表した図である。
【図６】待合せ地点決定画面を表した図である。
【図７】待合せデータを表した図である。
【図８】通過地点ファイルを表した図である。
【図９】名所ファイルを表した図である。
【図１０】立寄場所決定画面を表した図である。
【図１１】立寄り場所データを表した図である。
【図１２】立寄場所決定画面を表した図である。
【図１３】通過地点ファイルを表した図である。
【図１４】店舗ファイルを表した図である。
【図１５】クーポン表示画面を表した図である。
【図１６】取得クーポンを表した図である。
【図１７】ドライブルートを表した図である。
【符号の説明】
【００２４】
１    サーバー
２    ＰＣ（コンピュータ）
３    ナビゲーション装置
４    インターネット
１１    リーダライタ
１２    メモリーカード
１３    リーダライタ
１４    表示モニタ
１５    表示モニタ
１６    入力装置（キーボード、マウス：マウスは図示せず）
１７    出力装置
１８    携帯電話
【図１】
2005337727.tif 000003
【図２】
2005337727.tif 000004
【図３】
2005337727.tif 000005
【図４】
2005337727.tif 000006
【図５】
2005337727.tif 000007
【図６】
2005337727.tif 000008
【図７】
2005337727.tif 000009
【図８】
2005337727.tif 000010
【図９】
2005337727.tif 000011
【図１０】
2005337727.tif 000012
【図１１】
2005337727.tif 000013
【図１２】
2005337727.tif 000014
【図１３】
2005337727.tif 000015
【図１４】
2005337727.tif 000016
【図１５】
2005337727.tif 000017
【図１６】
2005337727.tif 000018
【図１７】
2005337727.tif 000019